(57)【要約】      （修正有）【課題】コストが低く、ギアにより発生するノイズも少ないビデトイレのノズル用の駆動装置を提供する。【解決手段】ビデトイレのノズルを駆動するための装置は、ベース１と、ノズル２と、ノズルの直線移動を案内するためにベースに形成されたガイド装置と、出力シャフト７１を有する運動出力装置７と、その出力シャフトに取り付けられて、出力シャフト共に回転可能に駆動される駆動ホイール３と、ベースに対して回転可能に固定された一対のガイドホイール４、５と、駆動ホイール３及びガイドホイール４、５の周りに巻かれてノズル２に固定された歯なしコンベヤ６と、を備えている。駆動ホイール３を回転すると、ノズル２の直線移動を生じさせる。【選択図】図１
0003156935.tif 000002
【実用新案登録請求の範囲】
【請求項１】
ビデトイレのノズルを駆動するための駆動装置において、ベースと、ノズルと、該ノズルの直線移動を案内するために前記ベースに形成されたガイド装置と、出力シャフトを有する運動出力装置と、その出力シャフトに取り付けられて、出力シャフト共に回転可能に駆動される駆動ホイールと、前記ベースに対して回転可能に固定された一対のガイドホイールと、前記駆動ホイールの回転が前記ノズルの直線移動を生じさせるように前記駆動ホイール及びガイドホイールの周りに巻かれて前記ノズルに固定された歯なしコンベヤと、を備えた駆動装置。
【請求項２】
前記コンベヤは、柔軟な帯又は糸である、請求項１に記載の装置。
【請求項３】
前記ベースに取り付けられ、前記コンベヤを押し付けて、前記コンベヤを張力下に保持する張力装置を更に備えた、請求項１又は２に記載の装置。
【請求項４】
前記張力装置は、前記ベースの座部に取り付けられたブラケットと、このブラケットに回転可能に装着された張力ホイールと、この張力ホイールを前記コンベヤに対して押し付けて前記コンベヤに張力を維持するように前記ブラケットと前記座部との間に圧縮されたスプリングと、を備えた請求項３に記載の装置。
【請求項５】
前記ベースは、その端に形成されて、前記ノズルの一部分をスライド可能に受け入れるように構成されたカラーを更に有する、請求項１から４のいずれかに記載の装置。
【請求項６】
前記カラーから離れた前記ベースの端に取り付けられたフレームを更に備え、該フレームは、前記ベースの片側から前記ベースに形成された開口へ挿入されるピンと、前記ノズルが前記ベースから滑り落ちるのを阻止するように構成されたストップバーと、前記ベースの反対側に係合するラッチと、前記ガイドホイールの１つが回転可能に取り付けられる軸とを含む、請求項５に記載の装置。
【請求項７】
前記ガイド装置は、前記ノズル及びベースの一方に形成されたガイドレールと、前記ノズル及びベースの他方に形成されたガイドスロットとを含む、請求項１から６のいずれかに記載の装置。
【請求項８】
前記駆動ホイール及びガイドホイールの各々は、前記コンベヤを受け入れるためにその周囲面に形成された溝を有する、請求項１から７のいずれかに記載の装置。
【請求項９】
前記コンベヤは、前記駆動ホイールの周りに複数巻回が巻かれた後に前記駆動ホイールに固定される２つの端を有する、請求項１から８のいずれかに記載の装置。
【請求項１０】
前記コンベヤは、前記ノズルに固定される、請求項１から９のいずれかに記載の装置。
【請求項１１】
前記コンベヤは、前記ノズルのクリップの周りに巻かれる、請求項１０に記載の装置。
【考案の詳細な説明】
【技術分野】
【０００１】
本考案は、トイレに係り、より詳細には、ビデトイレの駆動装置に係る。
【背景技術】
【０００２】
ビデトイレは、広く使用されている。ビデトイレは、引っ込め可能な棒又はノズルを有し、これを通して、トイレの便座に座っているユーザの「尻」等を洗浄するために洗浄水が噴射される。ノズルを延ばし又は使用する作動位置と、引っ込めた位置との間の直線路に沿ってノズルを移動するために駆動装置が使用される。この装置は、回転出力シャフトを有するモータを備え、その出力シャフトが多数のギア及びラックを通してノズルに接続されて、ラック・ピニオン型構成体によりノズルを駆動する。この構成体は複雑であり、コストが高い。更に、ギアは磨滅する傾向があり、ギアにより発生されるノイズが大きなものとなる。
【考案の概要】
【考案が解決しようとする課題】
【０００３】
そこで、上述した問題を克服できるビデトイレのノズル用の改良された駆動装置を提供することが望まれる。
【課題を解決するための手段】
【０００４】
従って、本考案は、その１つの態様では、ビデトイレのノズルを駆動するための駆動装置において、ベースと、ノズルと、ノズルの直線移動を案内するためにベースに形成されたガイド装置と、出力シャフトを有する運動出力装置と、その出力シャフトに取り付けられて、出力シャフト共に回転可能に駆動される駆動ホイールと、ベースに対して回転可能に固定された一対のガイドホイールと、駆動ホイールの回転がノズルの直線移動を生じさせるように駆動ホイール及びガイドホイールの周りに巻かれてノズルに固定された歯なしコンベヤと、を備えた駆動装置を提供する。
【０００５】
好ましくは、コンベヤは、柔軟な帯又は糸である。
【０００６】
好ましくは、張力装置がベースに取り付けられ、そしてコンベヤを押し付けてコンベヤを張力下に保持する。
【０００７】
好ましくは、張力装置は、ベースの座部に取り付けられたブラケットと、このブラケットに回転可能に装着された張力ホイールと、この張力ホイールをコンベヤに対して押し付けてコンベヤに張力を維持するようにブラケットと座部との間に圧縮されたスプリングと、を備えている。
【０００８】
好ましくは、ベースは、その端に形成されて、ノズルの一部分をスライド可能に受け入れるように構成されたカラーも有している。
【０００９】
好ましくは、カラーから離れたベースの端にフレームが取り付けられ、このフレームは、ベースの片側からベースに形成された開口へ挿入されるピンと、ノズルがベースから滑り落ちるのを阻止するように構成されたストップバーと、ベースの反対側に係合するラッチと、ガイドホイールの１つが回転可能に取り付けられる軸とを含む。
【００１０】
好ましくは、ガイド装置は、ノズル及びベースの一方に形成されたガイドレールと、ノズル及びベースの他方に形成されたガイドスロットとを含む。
【００１１】
好ましくは、駆動ホイール及びガイドホイールの各々は、コンベヤを受け入れるためにその周囲面に形成された溝を有する。
【００１２】
好ましくは、コンベヤは、駆動ホイールの周りに複数巻回が巻かれた後に駆動ホイールに固定される２つの端を有する。
【００１３】
好ましくは、コンベヤは、ノズルに固定される。
【００１４】
好ましくは、コンベヤは、ノズルのクリップの周りに巻かれる。
【００１５】
以下、添付図面を参照して、本考案の好ましい実施形態を一例として説明する。図示されたコンポーネント及び特徴部の寸法は、一般的に、便宜上及び表現を明確にするために選択されたもので、必ずしも正しいスケールで描かれていない。
【図面の簡単な説明】
【００１６】
【図１】本考案の好ましい実施形態によるビデトイレのノズルのための駆動装置を示す図である。
【図２】図１の駆動装置のベースを示す図である。
【図３】ビデトイレのノズルを示す図である。
【図４】図１の駆動装置の駆動ホイールを示す図である。
【図５】図１の駆動装置のフレームを示す図である。
【図６】図１の駆動装置の張力装置を示す図である。
【考案を実施するための形態】
【００１７】
図１は、本考案の好ましい実施形態によるビデトイレのノズルを駆動するための駆動装置を示す。この駆動装置は、トイレのトイレペデスタル（図示せず）内に固定されるように構成されたベース１と、少なくとも１つの放水口をもつノズルヘッドを有するノズル２と、駆動ホイール３と、一対のガイドホイール４及び５と、糸６の形態のコンベヤと、運動出力装置７と、張力装置８と、フレーム９とを備えている。駆動ホイール３、ガイドホイール４及び５、糸６、張力装置８、及びフレーム９は、運動出力装置７の出力シャフト７１の回転運動をノズル２の直線運動へと変換する。運動出力装置７は、ステッパモータと、出力シャフト７１をもつギアボックスとで構成される。
【００１８】
図２及び３を参照すれば、ベース１は、ノズル２をスライド可能に支持し案内するためのカラー１１と、ノズル２に形成された一対のガイドスロット２１にスライド可能に係合してカラー１１を通るノズル２の直線移動を案内するための一対のガイドレール１２とを備えている。ガイドホイール４は、ベース１の一端に回転可能に取り付けられ、好ましくは、スタブ軸によりカラー１１に直接取り付けられる。ベース１は、更に、張力装置８を装着するように構成された座部１３と、フレーム９を装着するように構成された装着開口１４とを備えている。
【００１９】
図１及び４を参照すれば、駆動ホイール３は、これを出力シャフト７１に固定して出力シャフトにより回転可能に駆動するように、この駆動ホイールを出力シャフト７１に装着するための開口３１と、スクリュー（図示せず）を受け入れるための一対のねじ切りされた穴３２及び３３とを有する。糸６は、駆動ホイール３の周りに巻かれ、糸６の両端は、各々、スクリューに固定される。或いは又、駆動ホイール３に一対のポストが形成されて、糸６の端がそれらポストに固定されてもよい。
【００２０】
図５に示すように、フレーム９は、ピン９１、ストップバー９２、ラッチ９３及び軸９４を含む。フレーム９は、カラー１１から離れたレール１２の端付近で、ベース１の片側からベース１の開口１４へ挿入されるピン９１と、ベース１の反対側を捕獲するラッチ９３とにより、ベース１に取り付けられる。ストップバー９２は、ノズル２がレール１２の端から滑り落ちるのを阻止するように構成される。ガイドホイール５は、軸９４に回転可能に取り付けられる。
【００２１】
駆動ホイール３及びガイドホイール４及び５は、各々、ホイールの周りに糸６を案内するために周囲面に形成された溝を有している。ノズル２は、ノズル２の片側に形成されたクリップ２２により２つのガイドホイール４と５との間で糸６に固定される。糸６は、クリップ２２に巻かれ、クリップ２２によりクランプされ、及び／又はクリップ２２に接着される。糸６の端は、スクリューに固定される前に、駆動ホイール３に巻かれる。駆動ホイール３が回転すると、糸６の一端が駆動ホイール３に巻かれる一方、他端が駆動ホイールから解かれる。従って、３つのホイールにより形成された閉じた回路の周りを糸が移動するときに、ノズルは、レール１２に沿って、カラー１１を通して直線的に移動される。駆動ホイール３の回転方向は、ノズルの移動方向を決定する。図１に示す構成では、駆動ホイール３を時計方向に回転すると、ノズルを作動位置即ち延びた位置へ移動させ、一方、駆動ホイール３を反時計方向に回転すると、ノズルを引っ込めさせる。
【００２２】
図６を参照すれば、張力装置８は、糸６がホイール４及び５の溝において緩んでホイール４及び５から滑り落ちるのを防止するために糸６に張力を保持するように構成される。張力装置８は、ブラケット８１、張力装置８の頂部に枢着された張力ホイール８２、及びスクリング８３を備えている。ブラケット８１は、ベース１の座部１３に装着される。スプリング８３は、ブラケット８１と座部１３との間で圧縮されて、張力ホイール８２を糸６に上方に押し付けるバイアス力を発生し、これにより、糸６に常時張力を保持する。
【００２３】
本考案の以上に述べた実施形態では、ホイールと糸との間にスリップ移動は生じない。従って、糸の摩耗は、相当に減少される。又、駆動装置により発生されるノイズも減少され、駆動装置の信頼性が改善される。
【００２４】
本考案の説明及び実用新案登録請求の範囲において、動詞「備える(comprise)」、「含む(include)」、「収容する(contain)」及び「有する(have)」並びにその変化は、各々、そこに述べたアイテムの存在を特定するために包括的な意味で使用され、付加的なアイテムの存在を除外するものではない。
【００２５】
本考案は、１つ以上の好ましい実施形態を参照して説明したが、当業者であれば、種々の変更がなされ得ることが明らかであろう。それ故、本考案の範囲は、実用新案登録請求の範囲によって決定されるものとする。
【００２６】
例えば、糸を他の適当なコンベヤ、例えば、歯なしの柔軟なベルトと交換してもよい。
【符号の説明】
【００２７】
１：ベース
２：ノズル
３：駆動ホイール
４、５：ガイドホイール
６：糸（コンベヤ）
７：運動出力装置
８：張力装置
９：フレーム
１１：カラー
１２：ガイドレール
１３：座部
１４：装着開口
２１：ガイドスロット
２２：クリップ
３１：開口
３２、３３：ねじ切りされた穴
７１：出力シャフト
８１：ブラケット
８２：張力ホイール
８３：スプリング
９１：ピン
９２：ストップバー
９３：ラッチ
９４：軸
【図１】
0003156935.tif 000003
【図２】
0003156935.tif 000004
【図３】
0003156935.tif 000005
【図４】
0003156935.tif 000006
【図５】
0003156935.tif 000007
【図６】
0003156935.tif 000008